(57)【要約】【課題】  診断の根拠となりうる情報を漏れなく電子カルテの登録情報に関連付けし、エビデンス情報として表示できる電子カルテシステム、エビデンス表示方法、及びプログラムを提供する。【解決手段】  電子カルテシステム１００のサーバ装置１は、表示されている電子カルテの画面情報をキャプチャ情報として取得する条件と、どの診療情報にどのキャプチャ情報を関連付けるかを予め定めた関連付け設定情報を記憶している。サーバ装置１のキャプチャ取得・関連付け処理部１２は上述の条件を満たす場合に電子カルテ画面をキャプチャし、キャプチャ情報を関連付け設定情報に定義された関連付け先の診療情報に関連付ける。電子カルテ画面を表示する際、エビデンス情報表示処理部１３は表示された画面に含まれる診療情報に関連付けられたキャプチャ情報を呼び出し、エビデンス情報として表示する。【選択図】図１
2017010344.tif 000002
【特許請求の範囲】
【請求項１】
電子カルテ画面を表示するとともに電子カルテへの診療情報の入力を受け付け、入力された診療情報を登録する電子カルテ処理部と、
表示されている電子カルテ画面をキャプチャ情報として取得するキャプチャ情報取得部と、
取得したキャプチャ情報を前記診療情報に関連付ける関連付け処理部と、
表示する電子カルテ画面に含まれる診療情報に関連付けられているキャプチャ情報を呼び出し、エビデンス情報として表示するエビデンス情報表示部と、
を備えることを特徴とする電子カルテシステム。
【請求項２】
電子カルテ画面をキャプチャ情報として取得する条件、及びどの診療情報にどのキャプチャ情報を関連付けるかを予め定めた関連付け設定情報を記憶する記憶部を備え、
前記キャプチャ情報取得部は、前記条件を満たす場合に前記キャプチャ情報を取得し、
前記関連付け処理部は、取得したキャプチャ情報を前記関連付け設定情報に定義された関連付け先の診療情報に関連付けることを特徴とする請求項１に記載の電子カルテシステム。
【請求項３】
前記キャプチャ情報取得部は、取得したキャプチャ情報とともに取得タイミングに関する情報を付加して保存し、
前記関連付け処理部は、前記キャプチャ情報に付加された取得タイミングに関する情報を参照して前記キャプチャ情報を前記関連付け設定情報に定義された関連付け先の診療情報に関連付けることを特徴とする請求項２に記載の電子カルテシステム。
【請求項４】
前記条件は、前記電子カルテでどの操作を行った時の画面をキャプチャ情報として取得するかを決定する取得タイミング条件であり、
キャプチャ情報取得部は、
前記電子カルテ処理部におけるクリック操作が行われる都度、クリック操作直前の電子カルテ画面をキャプチャ情報として取得するとともに、クリック操作のタイミングを示す情報であるクリックイベント情報を取得するクリックイベント情報取得処理部と、
取得したクリックイベント情報の中から前記条件を満たすものを絞り込むクリックイベント情報絞込処理部と、
を備えることを特徴とする請求項２に記載の電子カルテシステム。
【請求項５】
前記条件及び関連付け設定情報はユーザ毎に設定されることを特徴とする請求項２に記載の電子カルテシステム。
【請求項６】
他患者の診療情報をキャプチャ情報として関連付けするか否かを選択可能とすることを特徴とする請求項１に記載の電子カルテシステム。
【請求項７】
第１のキーワード及び第１のキーワードに関連する第２のキーワードを予め設定するキーワード記憶部と、
前記キャプチャ情報取得部が取得したキャプチャ情報から前記第１のキーワードを抽出して前記キャプチャ情報に付加して保存する第１キーワード抽出部と、
前記診療情報から前記第１のキーワードを抽出し、前記キーワード記憶部を参照して第１のキーワードに関連する第２のキーワードを前記診療情報に添付するキーワード添付処理部と、を備え、
前記関連付け処理部は、前記診療情報に添付された第２のキーワードと一致する第１のキーワードを有するキャプチャ情報を検索し、検索されたキャプチャ情報を更に前記診療情報と関連付けることを特徴とする請求項１に記載の電子カルテシステム。
【請求項８】
前記キャプチャ情報取得部におけるキャプチャ情報の取得処理及び前記関連付け処理部における関連付け処理をユーザの操作により手動で行う手動キャプチャ・関連付け処理部を備えることを特徴とする請求項１に記載の電子カルテシステム。
【請求項９】
コンピュータが、
電子カルテ画面を表示するとともに電子カルテへの診療情報の入力を受け付け、入力された診療情報を登録するステップと、
表示されている電子カルテ画面をキャプチャ情報として取得するステップと、
取得したキャプチャ情報を前記診療情報に関連付けるステップと、
表示する電子カルテ画面に含まれる診療情報に関連付けられているキャプチャ情報を呼び出し、エビデンス情報として表示するステップと、
を含むことを特徴とするエビデンス表示方法。
【請求項１０】
コンピュータを、
電子カルテ画面を表示するとともに電子カルテへの診療情報の入力を受け付け、入力された診療情報を登録する電子カルテ処理手段、
表示されている電子カルテ画面をキャプチャ情報として取得するキャプチャ情報取得手段、
取得したキャプチャ情報を前記診療情報に関連付ける関連付け処理手段、
表示する電子カルテ画面に含まれる診療情報に関連付けられているキャプチャ情報を呼び出し、エビデンス情報として表示するエビデンス情報表示手段、
として機能させるためのプログラム。
【発明の詳細な説明】
【技術分野】
【０００１】
本発明は、電子カルテシステム、エビデンス表示方法、及びプログラムに係り、詳細には、電子カルテにおける診断の根拠となるエビデンス情報の取得及び表示に関する。
【背景技術】
【０００２】
電子カルテシステムにおいて、過去に登録された病名や検査結果等の診療情報からエビデンス（診断の根拠）となる情報を抽出する方法が考えられている。例えば特許文献１には、診断の際に参照した画面の参照時間が所定時間以上である場合にエビデンス情報としての条件を満たすと判断し、そのデータを特定し、診断結果情報と対応づけて記憶部に記憶させるシステムが開示されている。
【先行技術文献】
【特許文献】
【０００３】
【特許文献１】特開２０１４−８５８２３号公報
【発明の概要】
【発明が解決しようとする課題】
【０００４】
しかしながら、特許文献１の方法は、参照時間長に基づいてエビデンス情報であるか否かを割り出している。そのため、有効な情報であっても参照した時間（操作停止時間）が短かい場合等はエビデンス情報として取得されないことがあり、情報の取得に漏れが生じることがあった。一方、操作停止時間は長いが実際は参照していない情報も参照時間が長いとみなされ、エビデンス情報として取得してしまうこともある。
【０００５】
本発明は、前述した問題点に鑑みてなされたもので、その目的は、診断の根拠となりうる情報を漏れなく電子カルテの登録情報に関連付けし、エビデンス情報として表示できる電子カルテシステム、エビデンス表示方法、及びプログラムを提供することである。
【課題を解決するための手段】
【０００６】
上記目的を達成するために第１の発明は、電子カルテ画面を表示するとともに電子カルテへの診療情報の入力を受け付け、入力された診療情報を登録する電子カルテ処理部と、表示されている電子カルテ画面をキャプチャ情報として取得するキャプチャ情報取得部と、取得したキャプチャ情報を前記診療情報に関連付ける関連付け処理部と、表示する電子カルテ画面に含まれる診療情報に関連付けられているキャプチャ情報を呼び出し、エビデンス情報として表示するエビデンス情報表示部と、を備えることを特徴とする電子カルテシステムである。
【０００７】
第２の発明は、コンピュータが、電子カルテ画面を表示するとともに電子カルテへの診療情報の入力を受け付け、入力された診療情報を登録するステップと、表示されている電子カルテ画面をキャプチャ情報として取得するステップと、取得したキャプチャ情報を前記診療情報に関連付けるステップと、表示する電子カルテ画面に含まれる診療情報に関連付けられているキャプチャ情報を呼び出し、エビデンス情報として表示するステップと、を含むことを特徴とするエビデンス表示方法である。
【０００８】
第３の発明は、コンピュータを、電子カルテ画面を表示するとともに電子カルテへの診療情報の入力を受け付け、入力された診療情報を登録する電子カルテ処理手段、表示されている電子カルテ画面をキャプチャ情報として取得するキャプチャ情報取得手段、取得したキャプチャ情報を前記診療情報に関連付ける関連付け処理手段、表示する電子カルテ画面に含まれる診療情報に関連付けられているキャプチャ情報を呼び出し、エビデンス情報として表示するエビデンス情報表示手段、として機能させるためのプログラムである。
【発明の効果】
【０００９】
本発明により、診断の根拠となりうる情報を漏れなく電子カルテの登録情報に関連付けし、エビデンス情報として表示できる電子カルテシステム、エビデンス表示方法、及びプログラムを提供できる。
【図面の簡単な説明】
【００１０】
【図１】電子カルテシステム１００のシステム構成を示す図
【図２】電子カルテＤＢ３１のデータ構成例を示す図
【図３】ユーザ情報ＤＢ３２のデータ構成例を示す図
【図４】診療情報種別ＤＢ３３のデータ構成例を示す図
【図５】取得タイミングＤＢ３４のデータ構成例を示す図
【図６】キャプチャ情報ＤＢ３５のデータ構成例を示す図
【図７】クライアント端末２及び電子カルテシステム１００のサーバ装置１として利用されるコンピュータの構成を示す図
【図８】キャプチャ取得・関連付け処理の流れを説明するフローチャート
【図９】クリックイベント情報絞込処理の流れを説明するフローチャート
【図１０】キャプチャ情報取得処理の流れを説明するフローチャート
【図１１】電子カルテの一画面である処方オーダ登録画面５１の例
【図１２】電子カルテ情報関連付け処理の流れを説明するフローチャート
【図１３】過去データ参照時の処方オーダ画面５２の一例
【図１４】エビデンス情報表示中の処方オーダ画面５３の一例
【図１５】電子カルテの一画面である診療録画面５４の一例（エビデンス情報表示中）
【図１６】本発明の第２の実施形態に係る電子カルテシステム１００Ａのシステム構成を示す図
【図１７】キーワード添付処理の流れを説明するフローチャート
【図１８】キーワードＤＢ３６のデータ構成例を示す図
【図１９】インフルエンザの診断時を例として、ユーザの動作とキャプチャ取得・関連付け処理部及びキーワード添付処理部の動作との関係を説明するシーケンス図
【図２０】図１９の処理によりキャプチャ情報ＤＢ３５Ａに格納されるデータ例
【図２１】図１９の処理により電子カルテＤＢ３１Ａに格納されるデータ例
【図２２】手動でキャプチャ情報の取得及び関連付けを行う場合の処理の流れを説明するフローチャート
【図２３】手動でキャプチャ情報の取得及び関連付けを行う場合にキャプチャ情報ＤＢ３５Ｂに格納されるデータ例
【図２４】キャプチャ情報一覧画面７０の一例
【図２５】第３の実施の形態における電子カルテ情報関連付け処理の流れを説明するフローチャート
【発明を実施するための形態】
【００１１】
以下図面に基づいて、本発明の実施形態を詳細に説明する。
【００１２】
［第１の実施の形態］
まず、本発明に係る電子カルテシステム１００の構成について説明する。
【００１３】
図１に示すように、電子カルテシステム１００は、サーバ装置１とクライアント端末２とがネットワークを介して通信接続されて構成される。クライアント端末２は、医療施設に設置される１または複数台のコンピュータである。各クライアント端末２で入力された診療情報はサーバ装置１に入力され、該当するＤＢ（データベース）３１〜３５に登録される。
【００１４】
ネットワークは、例えば、施設内の専用の通信回線で接続されたＬＡＮ（Local Area Network）や、より広域に通信接続されたＷＡＮ（Wide Area
Network）、またはインターネット等の公衆の通信回線を含む。ネットワークにおける通信接続は有線、無線を問わない。サーバ装置１、及び各クライアント端末２は、ネットワークを介して互いにデータを送受信する。
【００１５】
サーバ装置１は、電子カルテ処理部１１、キャプチャ取得・関連付け処理部１２、電子カルテＤＢ（データベース）３１、ユーザ情報ＤＢ３２、診療情報種別ＤＢ３３、取得タイミングＤＢ３４、キャプチャ情報ＤＢ３５等を有する。キャプチャ取得・関連付け処理部１２は、クリックイベント情報取得処理部２１、クリックイベント情報絞込処理部２２、キャプチャ情報取得処理部２３、及び電子カルテ情報関連付け処理部２４を有する。
【００１６】
サーバ装置１の電子カルテ処理部１１は、各クライアント端末２からの要求に応じて該当するＤＢ３１〜３５から情報を読み出し、ネットワークを介して要求元のクライアント端末２に対して送信し、電子カルテ画面として表示させる。また、電子カルテ処理部１１は、電子カルテへの診療情報の入力を受け付け、クライアント端末２において入力された診療情報を受信して、所定の保存先（各ＤＢ３１〜３５等）に登録する。
【００１７】
ＤＢ３１〜３５はサーバ装置１の記憶装置に設けるものとしてもよいし、サーバ装置１とネットワーク等を介して通信接続された記憶装置としてもよい。また、サーバ装置１やＤＢ３１〜３５は各クライアント端末２と同一施設内に配置されることを主な利用形態とするが、必ずしも同一施設内に配置されていなくてもよい。例えば、クラウドコンピューティングの仕組みを利用し、電子カルテシステム１００のサーバ装置１や各クライアント端末２、及びその他の情報システムからインターネット等を介してアクセス可能な記憶装置を含むものとしてもよい。
【００１８】
また電子カルテ処理部１１は、エビデンス情報表示処理部１３を有する。エビデンス情報表示処理部１３は、電子カルテ画面に含まれる診療情報にキャプチャ情報が関連付けられている場合に、関連付けられたキャプチャ情報を呼び出しエビデンス情報として表示するための処理を行う。エビデンス情報の表示処理に関しては後述する。
【００１９】
次に、キャプチャ取得・関連付け処理部１２について説明する。
キャプチャ取得・関連付け処理部１２は、所定の操作に伴って電子カルテ画面をキャプチャ情報として取得し、予め設定された関連付け先の診療情報に関連付ける処理を行う。キャプチャ情報は、関連付けられた診療情報が電子カルテ画面に表示された際にエビデンス情報として表示可能とする。
ここでキャプチャ情報とは、画面情報を画像情報、テキスト情報、ＨＴＭＬ等の構造型文書情報として抽出した情報である。
【００２０】
本発明の電子カルテシステム１００では、キャプチャ取得・関連付け処理を行うため、電子カルテの画面情報をキャプチャ情報として取得する条件が予め設定される。その条件は、例えばユーザ情報ＤＢ３２及び取得タイミングＤＢ３４等に記憶される。また診療情報種別ＤＢ３３には、どの診療情報にどのキャプチャ情報を関連付けるかを定めた関連付け設定情報が記憶される。
【００２１】
クリックイベント情報取得処理部２１は、ユーザが電子カルテ画面に設けられたボタンや各欄をどのようなタイミングでクリックしたかという情報であるクリックイベント情報を取得する。
【００２２】
クリックイベント情報絞込処理部２２は、クリックイベント情報取得処理部２１で取得した複数のクリックイベント情報の中から、診断の根拠として残すべきクリックイベント情報を絞り込む。絞り込まれたクリックイベント情報は、そのクリックイベント時に取得したキャプチャ情報と関連付けて「キャプチャ情報取得タイミング」としてキャプチャ情報ＤＢ３５に格納される（図６参照）。クリックイベント情報の絞り込みは、取得タイミングＤＢ３４で設定されている条件に基づいて行われる（図５参照）。条件は、電子カルテでどの操作を行った時の画面をキャプチャ情報として取得するかを決定する取得タイミング条件である。具体的には、図５に示すように、「診療録登録」、「検体検査オーダ登録」、「処方オーダ登録」、「病名登録」、「帳票登録」、「検査結果登録」等の操作が行われたタイミングをキャプチャ情報の取得タイミングとするか否かが「ＯＮ／ＯＦＦ」で設定される。この条件は、ユーザによりユーザ毎に編集可能とする。
【００２３】
キャプチャ情報取得処理部２３は、電子カルテの画面上に表示されたクリック時の画面の情報をキャプチャ情報として取得し、取得したキャプチャ情報を所定の保存先へ保存する処理を行う。キャプチャ情報を保存する処理には、キャプチャ情報を保存するためのフォルダの作成、キャプチャ情報のファイル保存、キャプチャ情報の保存先のファイルパスの発行、キャプチャ情報の取得日時や患者ＩＤ等の付帯情報のキャプチャ情報ＤＢ３５への格納等の処理等が含まれる。
【００２４】
電子カルテ情報関連付け処理部２４は、予め設定されている関連付け設定情報に基づいて、キャプチャ情報取得処理部２３により取得されたキャプチャ情報を関連付け先の診療情報に関連付ける処理を行う。関連付け設定情報は、診療情報種別ＤＢ３３に予め記憶される。電子カルテ情報関連付け処理部２４は、診療情報種別ＤＢ３３から関連付け設定情報を取得し、この関連付け設定情報で定められている関連付け先（電子カルテＤＢ３１に登録された診療情報）にキャプチャ情報を関連づける。
【００２５】
また、電子カルテ情報関連付け処理部２４は、選択された患者Ａと異なる患者Ｂ（他患者）のキャプチャ情報を患者Ａの診療情報に関連付けてもよい。また他患者のキャプチャ情報を関連付けするか否かは、予め設定可能とすることが望ましい。他患者のキャプチャ情報を関連付けるように設定しておけば、選択された患者の診断時に他患者の電子カルテ画面（キャプチャ情報）をエビデンス情報として表示させることができる。
【００２６】
次に、電子カルテシステム１００で取り扱うデータベースについて説明する。
電子カルテシステム１００は、図１に示すように、電子カルテＤＢ３１、ユーザ情報ＤＢ３２、診療情報種別ＤＢ３３、取得タイミングＤＢ３４、キャプチャ情報ＤＢ３５等を有する。
【００２７】
電子カルテＤＢ３１は、電子カルテに登録された診療情報が格納されるデータベースである。例えば図２に示すように、各種の電子カルテ画面において登録（入力）された診療情報が、オーダＩＤ、診療情報種別、登録日時、患者ＩＤとともに蓄積記憶される。また、電子カルテＤＢ３１の各診療情報にはキャプチャ情報のパスがキャプチャ取得・関連付け処理部１２によって関連付けられる。このように、診療情報にキャプチャ情報を関連付けることで、診療情報を表示する際に、関連付けられたキャプチャ情報のパス（保存先）からキャプチャ情報がエビデンス情報表示処理部１３によって読み出され、エビデンス情報として表示可能となる。
【００２８】
図２の例では、オーダＩＤ「Shinryou_150417_1」には診療情報種別「診療録」、登録日時「2015/4/17」、患者ＩＤ「KanjaA_ID」、診療情報「３８．２度の発熱あり」が登録されている。またキャプチャ情報のパスとして「C:\Cap\KanjaA_ID\20150417\20150417104035.jpg」が関連付けて格納される。また、オーダＩＤ「Kentai_150417_1」には診療情報種別「検体検査オーダ」、登録日時「2015/4/17」、患者ID「KanjaA_ID」、診療情報「インフルエンザ検査結果：陽性」が登録され、またキャプチャ情報「C:\Cap\KanjaA_ID\20150417\20150417103020.jpg」が格納される。
【００２９】
ユーザ情報ＤＢ３２は、電子カルテシステム１００のユーザである医師等の情報が格納される。例えば図３に示すように、各ユーザのユーザＩＤ、ユーザ氏名、ユーザ権限等が格納される。また、キャプチャ情報の関連付け処理を行う際に、他患者の情報を関連付けるか否かの設定（キャプチャ取得他患者情報関連付け設定３２ａ）も、このユーザ情報ＤＢ３２においてユーザ毎に設定される。キャプチャ取得他患者情報関連付け設定３２ａが「ＯＮ」に設定されていれば、ある患者Ａの電子カルテ画面（キャプチャ情報）を他の患者Ｂのエビデンスとして診療情報に関連付ける。一方、キャプチャ取得他患者情報関連付け設定３２ａが「ＯＦＦ」に設定されていれば、他患者Ｂの電子カルテ画面は関連付けしない。患者本人のキャプチャ情報のみを関連付けする。
【００３０】
診療情報種別ＤＢ３３は、医師等が登録する診療情報の種別を管理するデータベースである。例えば、患者のカルテ情報である診療録や処方、検体検査等の指示情報等、各種の診療行為の種類を管理する。診療情報種別ＤＢ３３には、診療情報種別毎に関連付け設定情報が設定される。関連付け設定情報は、第１の実施の形態では、どのタイミングで取得されたキャプチャ情報をどの診療情報種別の診療情報と関連付けるか（キャプチャ情報取得タイミング）を定義した情報である。
【００３１】
例えば図４に示す診療情報種別ＤＢ３３の欄３３ａには、診療情報種別「処方オーダ」のキャプチャ情報取得タイミングとして「診療録登録」、「検体検査登録」、「病名登録」が設定されている。この場合、診療情報種別「処方オーダ」として電子カルテＤＢ３１に登録された診療情報には、「診療録登録」、「検体検査登録」、または「病名登録」のタイミングで取得されたキャプチャ情報がエビデンスとして関連付けられることとなる。なお、関連付け設定情報はユーザ毎に編集可能とすることが望ましい。
【００３２】
取得タイミングＤＢ３４は、取得したクリックイベント情報を絞り込むための条件が設定されたデータベースである。図５に示すように、取得タイミングＤＢ３４に設定される条件は、キャプチャ情報の取得タイミングの情報と、各取得タイミングをそれぞれ機能させるか否か（ＯＮ／ＯＦＦ）の情報が含まれる。例えば欄３４ａではキャプチャ情報取得のタイミングとして「検体検査オーダ登録」が「ＯＮ」に設定されている。これは、検体検査オーダを登録するためのクリック操作があったときはそのクリックの直前に表示されている画面情報をキャプチャ情報として取得することを示している。また、例えば、欄３４ｂでは取得タイミング「帳票登録」が「ＯＦＦ」に設定されている。このようにＯＦＦに設定しておけば、帳票登録時のクリック操作でキャプチャ情報の取得を行わないように設定できる。なお、取得タイミングＤＢ３４に格納されるキャプチャ取得の条件は、ユーザ毎に編集可能とすることが望ましい。
【００３３】
キャプチャ情報ＤＢ３５は、取得したキャプチャ情報とそのキャプチャ情報の保存先（ファイルパス）や取得タイミング等の詳細情報を格納するデータベースである。詳細情報は、取得日時、取得者（ユーザＩＤ）、取得したキャプチャ情報の患者ＩＤ、ファイルパス、キャプチャ情報取得タイミング等の情報を含む。図６に示すように、例えば、取得日時「2015/4/17 10:30:20」にユーザＩＤ「DR01」のユーザが「診療録登録」のクリックを行ったタイミングで取得した画面情報（キャプチャ情報）について、その保存先のファイルパス「C:\Cap\KanjaA_ID\20150417\20150417103020.jpg」が格納される。またそのキャプチャ情報は患者ＩＤ「KanjaA_ID」の患者の電子カルテ画面であることが格納される。また例えば、取得日時「2015/4/17
10:32:30」にユーザＩＤ「DR01」のユーザが「検体検査オーダ登録」のクリックを行ったタイミングで取得した画面情報（キャプチャ情報）について、その保存先のファイルパス「C:\Cap\KanjaA_ID\20150417\20150417103230.jpg」が格納され、そのキャプチャ情報は患者ＩＤ「KanjaA_ID」の患者の電子カルテ画面であることが格納される。同様に、ユーザＩＤ「DR01」のユーザが「Ｘ線検査オーダ登録」のクリックを行ったタイミングで取得した画面情報（キャプチャ情報）、「検体検査結果登録」のクリックを行ったタイミングで取得した画面情報（キャプチャ情報）、「処方オーダ登録」のクリックを行ったタイミングで取得した画面情報（キャプチャ情報）、及び「病名登録」のクリックを行ったタイミングで取得した画面情報（キャプチャ情報）について、それぞれファイルパス（保存先）やそのキャプチャ情報の患者ＩＤや取得タイミングが記録される。
【００３４】
図７は、電子カルテシステム１００のサーバ装置１またはクライアント端末２として利用されるコンピュータのハードウエア構成を示すブロック図である。
【００３５】
図７に示すように、コンピュータ（サーバ装置１、クライアント端末２）は、制御装置４１、記憶装置４２、入力装置４３、表示装置４４、メディア入出力装置４５、通信Ｉ／Ｆ４６、周辺機器Ｉ／Ｆ４７等が、バス４８を介して接続される。但し、図７の例は一般的なコンピュータの例であり、用途、目的に応じて様々な構成を採ることが可能である。
【００３６】
制御装置４１は、ＣＰＵ（Central  Processing  Unit）、ＲＯＭ（Read  Only  Memory）、ＲＡＭ（Random  Access  Memory）等で構成される。ＣＰＵは、記憶装置４２、ＲＯＭ、記録媒体等に格納されるプログラムをＲＡＭ上のワークメモリ領域に呼び出して実行し、バス４８を介して接続された各装置を駆動制御する。ＲＯＭは、不揮発性メモリであり、コンピュータのブートプログラムやＢＩＯＳ等のプログラム、データ等を恒久的に保持している。ＲＡＭは、揮発性メモリであり、記憶装置４２、ＲＯＭ、記録媒体等からロードしたプログラム、データ等を一時的に保持するとともに、制御装置４１が各種処理を行う為に使用するワークメモリ領域を備える。
【００３７】
記憶装置４２は、例えばＨＤＤ（ハードディスクドライブ）であり、制御装置４１が実行するプログラム、プログラム実行に必要なデータ等が格納される。プログラムに関しては、ＯＳに相当する制御プログラムや後述の各処理に相当する各アプリケーションプログラムが格納されている。これらの各プログラムコードは、制御装置４１により必要に応じて読み出されてＲＡＭに移され、ＣＰＵに読み出されて各種の手段として実行される。
【００３８】
入力装置４３は、例えば、キーボード、マウス等のポインティングデバイス、テンキー等の入力装置であり、データや指示信号を制御装置４１に入力する。
表示装置４４は、ＣＲＴモニタ、液晶パネル等の表示装置であり、制御装置４１から出力された表示データを表示する。
【００３９】
メディア入出力装置４５は、例えば、ＤＶＤドライブ等のメディア入出力装置であり、データの入出力を行う。
通信Ｉ／Ｆ（インタフェース）４６は、通信制御装置、通信ポート等を有し、ネットワークの通信を媒介する通信インタフェースである。
【００４０】
周辺機器Ｉ／Ｆ４７は、コンピュータに周辺機器を接続させるためのポートである。
バス４８は、各装置間の制御信号、データ信号等の授受を媒介する経路である。
【００４１】
次に、図８〜図１５を参照して、サーバ装置１の制御装置４１が実行するキャプチャ取得・関連付け処理について説明する。
【００４２】
図８は、キャプチャ取得・関連付け処理の流れを説明するフローチャートである。サーバ装置１はキャプチャ取得・関連付け処理の各ステップを実行するためのプログラムを記憶装置４２等に保持している。サーバ装置１の制御装置４１は、このプログラムに従ってキャプチャ取得・関連付け処理を実行する。
【００４３】
患者選択画面（不図示）において医師等のユーザにより診断対象とする患者が選択されると（ステップＳ１０１）、サーバ装置１の電子カルテ処理部１１は選択された患者を特定し、患者ＩＤ等の患者を特定する情報を患者情報ＤＢ（不図示）から取得する（ステップＳ１０２）。患者を特定する情報を取得すると、サーバ装置１の電子カルテ処理部１１は、電子カルテ画面の「自動キャプチャ開始ボタン」を活性化する（ステップＳ１０３）。
【００４４】
ユーザにより自動キャプチャ開始ボタンがクリック（ＯＮにセット）されると（ステップＳ１０４；Ｙｅｓ）、サーバ装置１の電子カルテ処理部１１は、キャプチャ取得・関連付け処理部１２のクリックイベント情報取得処理部２１を起動する（ステップＳ１０５）。
【００４５】
ユーザにより電子カルテ画面の使用中になんらかのクリック操作が行われると（ステップＳ１０６；Ｙｅｓ）、制御装置４１はそのクリック操作がキャプチャ終了ボタンのクリック操作であるか否かを判定し、キャプチャ終了ボタンのクリックではない場合は（ステップＳ１０７；Ｎｏ）、クリックイベント情報取得処理部２１（制御装置４１）はクリックイベント情報を取得する（ステップＳ１０８）。クリックイベント情報はクリック操作がどのタイミングでどのボタンや入力欄等に対して行われたかを示す情報である。例えば「診療録登録」ボタンのクリックであるか、「検体検査オーダ登録」ボタンのクリックであるか、「処方オーダ登録」ボタンのクリックであるか、「病名登録」ボタンのクリックであるか、「帳票登録」ボタンのクリックであるか、「検査結果登録」ボタンのクリックであるか等である。
【００４６】
次にサーバ装置１のキャプチャ取得・関連付け処理部１２は、クリックイベント情報絞込処理部２２を起動し、クリックイベント情報絞込処理を実行する（ステップＳ１０９）。クリックイベント情報絞込処理では、取得した複数のクリックイベント情報を絞り込み、条件に合致するクリックイベント情報のみを抽出する。絞り込まれたクリックイベント情報のクリック操作直前の画面情報のみが、キャプチャ情報ＤＢ３５に保存される。
【００４７】
図９は、クリックイベント情報絞込処理の流れを説明するフローチャートである。図９に示すように、クリックイベント情報絞込処理では、サーバ装置１の制御装置４１はクリック操作のタイミングとどの箇所がクリックされたかの情報（クリックイベント情報）を取得する（ステップＳ２０１）。また、取得タイミングＤＢ３４から取得タイミングの状態に関する設定情報（ＯＮ／ＯＦＦ）を読み込む（ステップＳ２０２）。なお、クリックイベント情報は、クリックされたボタンのボタンＩＤ等を元に読み取ればよい。制御装置４１は、ステップＳ２０１で読み込んだタイミング情報が、取得タイミングＤＢ３４において取得タイミングの状態が「ＯＮ」に設定されているか否かを判断し、「ＯＮ」に設定されていれば（ステップＳ２０３；Ｙｅｓ）、図８のステップＳ１１０のキャプチャ情報取得処理へ移行する。取得タイミングの状態が「ＯＦＦ」であれば、そのクリック時のキャプチャ情報を保存しないものとし、クリックイベント絞込処理を終了し、図８のステップＳ１０６へ戻る。
【００４８】
ステップＳ１１０において、サーバ装置１の制御装置４１はキャプチャ情報取得処理部２３を起動し、例えば図１０に示す手順でキャプチャ情報取得処理を行う。
【００４９】
図１０は、キャプチャ情報取得処理の流れを説明するフローチャートである。図１０に示すように、キャプチャ情報取得処理では、制御装置４１はクリック時の画面情報をキャプチャ情報として取得する（ステップＳ３０１）。制御装置４１は、サーバ装置１内にステップＳ３０１で取得したキャプチャ情報を保存するための保存用フォルダがあるか検索する（ステップＳ３０２）。ここで、保存用フォルダは、例えばフォルダ名を「患者ＩＤ」とし、その保存用フォルダの直下にキャプチャを取得した「日付」フォルダを有するものとする（例：「C:\Cap\「患者ID」\「YYYYMMDD」等）。
【００５０】
保存用フォルダ及びその直下のキャプチャ取得日のフォルダが見つからない場合は（ステップＳ３０２；Ｎｏ）、保存用フォルダをサーバ装置１内もしくはクライアント端末２の任意のフォルダ等に作成する（ステップＳ３０３）。
【００５１】
保存用フォルダ及びその直下のキャプチャ取得日のフォルダがある場合、或いは作成した場合は（ステップＳ３０２；Ｙｅｓ、またはステップＳ３０２；Ｎｏ→ステップＳ３０３）、そのフォルダにステップＳ３０１で取得したキャプチャ情報を保存する（ステップＳ３０４）。
【００５２】
キャプチャ情報取得処理部２３は、キャプチャ情報の保存先ファイルパスを発行する（ステップＳ３０５）。例えば、ファイル名としてキャプチャ情報の取得日時を添付し（例：「YYYYMMDDhhmmss.jpg」等）、フォルダ名「患者ＩＤ」の直下の「日付」フォルダ内に保存する。そして、保存場所とファイル名を基にファイルパスを発行する。例えば、２０１５年４月１７日１０時３０分２０秒に患者ＩＤ「KanjaA_ID」の患者のキャプチャ情報が取得されたとすると、このキャプチャ情報のファイルパスは「C:\Cap\KanjaA_ID\20150417\20150417103020.jpg」となる。
【００５３】
キャプチャ情報取得処理部２３は、取得したキャプチャ情報について、取得日時、ユーザ情報（ユーザＩＤ）、キャプチャ情報の患者ＩＤ、ファイルパスを図６に示すようにキャプチャ情報ＤＢ３５に格納するとともに、そのキャプチャ情報の取得タイミング（ステップＳ１０８で取得したクリックイベント情報）を格納し（ステップＳ３０６）、キャプチャ情報取得処理を終了する。
【００５４】
キャプチャ情報取得処理を終了するとステップＳ１０６へ戻り、電子カルテ画面でのクリック操作を待機する。クリック操作があり、キャプチャ終了ボタンのクリックでない場合は（ステップＳ１０６；Ｙｅｓ→ステップＳ１０７；Ｎｏ）、クリックイベント情報取得処理、クリックイベント情報絞込処理、キャプチャ情報取得処理（ステップＳ１０８〜ステップＳ１１０）を繰り返し行う。
【００５５】
電子カルテ画面でのクリック操作がキャプチャ終了ボタンのクリックである場合は（ステップＳ１０７；Ｙｅｓ）、クリックイベント情報取得処理を終了し（ステップＳ１１１）、次に制御装置４１は電子カルテ情報関連付け処理を実行する（ステップＳ１１２）。
【００５６】
図１１は電子カルテ画面の一画面である処方オーダ登録画面５１の例を示している。例えば、図１１に示すような処方オーダ登録画面５１が表示された状態で、画面右側の「（処方オーダ）登録」ボタンがクリックされると、この画面情報のクリックイベント情報としてクリックの日時情報、患者ＩＤ、取得タイミング「処方オーダ登録」等が一時記憶される。そしてクリックイベント情報絞込処理によりこのクリックイベントでキャプチャ情報を取得するか否かが判定される。制御装置４１は、図５に示す取得タイミングＤＢ３４を参照し、このクリックイベント情報の取得タイミング「処方オーダ登録」のＯＮ／ＯＦＦを確認する。図５に示す取得タイミングＤＢ３４の例では、「処方オーダ登録」はＯＮに設定されているため、このクリックイベントによるクリック時の画面情報がキャプチャ情報として取得される。キャプチャ情報は所定の保存先に保存され、キャプチャ情報の取得日時（クリックの日時）、クリック操作を行ったユーザのユーザＩＤ、キャプチャした画面の患者ＩＤ、キャプチャ情報のファイルパス、取得タイミング（「処方オーダ登録」）がキャプチャ情報ＤＢ３５に格納される。
【００５７】
次に、キャプチャ取得・関連付け処理部１２が実行する電子カルテ情報関連付け処理（図８のステップＳ１１２）について、図１２を参照して説明する。
サーバ装置１の制御装置４１は電子カルテ情報関連付け処理部２４を起動し、図８のステップＳ１１０までの処理で取得したキャプチャ情報を予め設定された関連付け先に関連付ける処理を開始する。
【００５８】
サーバ装置１の制御装置４１は、ユーザ情報ＤＢ３２から他患者関連付け設定情報３２ａを読み込む（ステップＳ４０１）。他患者関連付け設定情報３２ａが「選択患者のみ」（他患者関連付け設定が「ＯＦＦ」）に設定されている場合は（ステップＳ４０２；Ｙｅｓ）、制御装置４１は、ステップＳ１１０で取得したキャプチャ情報がステップＳ１０１で選択した患者のものであるか否かを判定する（ステップＳ４０３）。キャプチャ情報が選択患者のものでない場合は（ステップＳ４０３；Ｎｏ）、関連付けを行わずに処理を終了する。
【００５９】
一方、キャプチャ情報が選択患者のものである場合（ステップＳ４０３；Ｙｅｓ）、関連付け先として設定されている診療情報（電子カルテＤＢ３１）にキャプチャ情報のファイルパスを関連付けて格納する（ステップＳ４０４）。
【００６０】
ステップＳ４０２において関連付け設定が選択患者のみではなく他患者関連付けが「ＯＮ」に設定されている場合は（ステップＳ４０２；Ｎｏ）、関連付け先として設定されている診療情報（電子カルテＤＢ３１内）に、キャプチャ情報のファイルパスを関連付けて格納する（ステップＳ４０４）。
【００６１】
以上の処理により、電子カルテＤＢ３１に登録された診療情報とキャプチャ情報との関連付けが行われると、電子カルテＤＢ３１は、例えば図２に示す状態となる。具体的には、オーダＩＤ「Shinryou_150417_1」に登録された診療情報は、診療情報種別が「診療録」である。診療情報種別が「診療録」の場合、制御装置４１は、図４の診療情報種別ＤＢ３３の関連付け設定情報に基づき、キャプチャ情報の「取得タイミング」が「検体検査結果登録」または「放射線オーダ登録」のキャプチャ情報をその診療情報に関連付ける。キャプチャ情報ＤＢ３５に格納されているキャプチャ情報のうち、「取得タイミング」が「検体検査結果登録」、または「放射線オーダ登録」のキャプチャ情報は、図６の４つ目のキャプチャ情報「ファイルパス：C:\Cap\KanjaA_ID\20150417\20150417104035.jpg」があるため、このキャプチャ情報をオーダＩＤ「Shinryou_150417_1」の診療情報と関連付ける。なお、この診療情報を登録したユーザ（ユーザＩＤ「DR01」）は、ユーザ情報ＤＢ３２によればキャプチャ取得他患者情報関連付け設定が「ＯＮ」に設定されているため、他人のキャプチャ情報も関連付けられる。
【００６２】
また図２において、オーダＩＤ「Drug_150417_1」の診療情報は診療情報種別が「処方オーダ」である。診療情報種別が「処方オーダ」の場合、図４の診療情報種別ＤＢ３３に格納された関連付け設定情報に基づき、キャプチャ情報の「取得タイミング」が「診療録登録」、「検体検査結果登録」、「病名登録」のキャプチャ情報を関連付ける。キャプチャ情報ＤＢ３５に格納されているキャプチャ情報のうち、「取得タイミング」が「診療録登録」であるキャプチャ情報は図６の１つ目のキャプチャ情報「ファイルパス：C:\Cap\KanjaA_ID\20150417\20150417103020.jpg」があり、「取得タイミング」が「検体検査結果登録」であるキャプチャ情報は、図６の４つ目のキャプチャ情報「ファイルパス：C:\Cap\KanjaA_ID\20150417\20150417104035.jpg」があり、「取得タイミング」が「病名登録」であるキャプチャ情報は、図６の６つ目のキャプチャ情報「ファイルパス：C:\Cap\KanjaA_ID\20150417\20150417105010.jpg」がある。そのため。これらのキャプチャ情報がオーダＩＤ「Drug_150417_1」の診療情報と関連付けられる。
このように、各診療情報とキャプチャ情報との関連付けが行われる。
【００６３】
電子カルテＤＢ３１に登録された診療情報は、ユーザが診療を行う際等に過去の診療情報として電子カルテ画面に表示される。
図１３は、過去の診療情報を参照する際に表示される電子カルテ画面の一例を示している。図１３の例では、処方オーダ画面５２が表示されている。
この処方オーダ画面５２は、「患者Ａ」について登録された診療情報であって処方オーダに関するものが電子カルテＤＢ３１から読み出されて表示されたものである。左欄５２１は処方履歴画面であり、右欄５２２には、左欄５２１にリスト表示された処方履歴のうち選択された処方履歴の詳細な内容が表示される。図１３の例では、左欄５２１の「2015/4/17」の処方履歴５２１ａについて右欄５２２にその内容が電子カルテＤＢ３１から読み出されて詳細に表示される。更に、この診療情報（処方履歴）５２１ａにキャプチャ情報が関連付けられている場合は「エビデンス」ボタン５２３が活性化される。
【００６４】
ユーザが「エビデンス」ボタン５２３をクリックすると、図１４に示す処方オーダ画面５３に遷移する。図１４の処方オーダ画面５３では、左欄５３１に選択中の診療情報（「2015/4/17」の処方履歴：図３のオーダＩＤ「Drug_150417_1」）の内容が表示され、右欄５３２にその診療情報に関連付けられたキャプチャ情報５３２ａ、５３２ｂ、５３２ｃがエビデンス情報として表示される。図２に示すように、電子カルテＤＢ３１のオーダＩＤ「Drug_150417_1」の診療情報には３つのキャプチャ情報のパス「ファイルパス：C:\Cap\KanjaA_ID\20150417\20150417103020.jpg」、「ファイルパス：C:\Cap\KanjaA_ID\20150417\20150417105010.jpg」、「ファイルパス：C:\Cap\KanjaA_ID\20150417\20150417104035.jpg」が関連付けられている。これらのキャプチャ情報（診療録登録画面５３２ａ、病名登録画面５３２ｂ、検体検査結果登録画面５３２ｃ）がそれぞれ保存先のフォルダから読み出されて、電子カルテ画面内（図１４の例では右欄５３２）にエビデンス情報として表示される。
【００６５】
なお、図１５に示すように、ユーザが選択患者以外の他患者のキャプチャ情報も関連付けするよう設定している場合は、エビデンス情報に他患者のキャプチャ情報が含まれることもある。図１５の例では、選択患者は患者Ａであり、左欄５４１には患者Ａについての診療録画面が表示される。「エビデンス」ボタン５４１ａがクリックされると、右欄５４２には関連付けられたキャプチャ情報５４２ａ、５４２ｂ、５４２ｃがエビデンス情報として表示される。図１５の例では、患者Ａの病名登録画面５４２ｂ、患者Ａの検体検査結果登録画面５４２ｃの他、他の患者Ｂの診療録画面５４２ａが表示される。
【００６６】
以上説明したように、第１の実施の形態の電子カルテシステム１００では、表示されている電子カルテの画面情報をキャプチャ情報として取得する条件と、どの診療情報にどのキャプチャ情報を関連付けるかを予め定めた関連付け設定情報を記憶するＤＢを有し、サーバ装置１の制御装置４１（キャプチャ取得・関連付け処理部１２）は、上述の条件を満たす場合にキャプチャ情報を取得し、取得したキャプチャ情報を関連付け設定情報に定義された関連付け先の診療情報に関連付ける。また、サーバ装置１の制御装置４１は電子カルテ画面を表示する際、その電子カルテ画面に含まれる診療情報にキャプチャ情報が関連付けられている場合に、関連付けられたキャプチャ情報を呼び出しエビデンス情報として表示する。
【００６７】
これにより、予め設定された診断の根拠となる情報を、電子カルテ操作中（診療情報の入力時）等に画面のキャプチャ情報として自動的に取得して診療情報と関連付けしておける。そして電子カルテを閲覧する際は、閲覧している診療情報に関連付けられているキャプチャ情報（画面情報）をエビデンス情報として読み出して表示させることができる。
【００６８】
また、キャプチャ情報取得処理部２３は、取得したキャプチャ情報をどの診療情報を登録したときに取得されたかを示す取得タイミングを記録しておき、電子カルテ情報関連付け処理部２４は、上述の取得タイミングを参照してキャプチャ情報を所定の関連付け先に関連付けることができる。
【００６９】
また、キャプチャ情報取得部２３は、電子カルテ処理部１１におけるクリック操作が行われる都度、クリックイベント情報として取得し、取得した複数のクリックイベント情報の中から条件を満たすものを絞り込み、条件に該当するクリックイベント情報を絞り込んでキャプチャ情報として取得するため、キャプチャ情報をもれなく取得できる。
【００７０】
また、キャプチャ情報を取得する条件は、例えばどの診療情報を登録したときかを示す取得タイミングに関する情報である。そのため、診断の根拠として有効なキャプチャ情報を取得できる。また、他患者の診療情報をキャプチャ情報として関連付けするか否かを選択可能とすれば、他患者の診療情報もエビデンス情報として表示できるため、診療の参考として役立てることが可能となる。
【００７１】
［第２の実施の形態］
次に、図１６〜図２１を参照して本発明の第２の実施の形態について説明する。
第２の実施の形態では、第１の実施の形態の電子カルテシステム１００において、所定のキーワードを根拠にエビデンス情報となるキャプチャ情報と診療情報とを関連付ける機能について説明する。
【００７２】
図１６は、第２の実施の形態の電子カルテシステム１００Ａのシステム構成を示す図である。図１６に示すように、電子カルテシステム１００Ａは第１の実施の形態の電子カルテシステム１００（図１参照）と同様の各部（電子カルテ処理部１１、キャプチャ取得・関連付け処理部１２Ａ、エビデンス情報表示処理部１３、クリックイベント情報取得処理部２１、クリックイベント情報絞込処理部２２、キャプチャ情報取得処理部２３、電子カルテ情報関連付け処理部２４Ａ）の他、キャプチャ取得・関連付け処理部１２Ａにキーワード添付処理部２５を有する。またＤＢ群は電子カルテＤＢ３１Ａ、ユーザ情報ＤＢ３２、診療情報種別ＤＢ３３、取得タイミングＤＢ３４、キャプチャ情報ＤＢ３５Ａの他、キーワードＤＢ３６を有する。後述するようにキャプチャ情報ＤＢ３５Ａ及び電子カルテＤＢ３１Ａには、第１の実施の形態のキャプチャ情報ＤＢ３５及び電子カルテＤＢ３１の各項目の情報に加え、キーワードに関する項目が追加される（図２０、図２１参照）。
以下、第１の実施の形態と異なる部分について説明する。なお、第１の実施の形態と同一の各部については同一の符号を付し、重複する説明を省略する。
【００７３】
キーワード添付処理部２５は、キャプチャ情報取得処理部２３で取得したキャプチャ情報から診断時に重要となる紐付キーワード（第１キーワード）を抽出してキャプチャ情報ＤＢ３５Ａに格納するとともに、電子カルテＤＢ３１Ａに登録された診療情報からも紐付キーワード（第１キーワード）を抽出し、キーワードＤＢ３６を参照して紐付キーワードに関連する根拠キーワード（第２キーワード）を読み出し診療情報に添付する処理を行う。どのキーワードを電子カルテ画面（キャプチャ情報）のどの欄から抽出するかは、キーワードＤＢ３６に定義される。
【００７４】
例えば、処方オーダ画面では処方薬の欄からキーワードを抽出し、病名画面では病名欄からキーワードを抽出するというように、キーワードを抽出する場所（欄）を予めキーワードＤＢ３６に設定しておくものとすればよい。キーワードを抽出する場所（欄）は、キャプチャ情報の中で最も重要なキーワードが入力される場所（欄）とすることが望ましい。
【００７５】
また、第２の実施の形態において電子カルテ情報関連付け処理部２４Ａは、診療情報に添付された根拠キーワード（第２キーワード）と一致する紐付キーワード（第１キーワード）を有するキャプチャ情報をキャプチャ情報ＤＢ３５Ａから検索し、検索されたキャプチャ情報をその診療情報と関連付ける処理を行う。
【００７６】
図１７は、サーバ装置１の制御装置４１（キーワード添付処理部２５）が実行するキーワード添付処理の流れを説明するフローチャートであり、図１８は、キーワードＤＢ３６のデータ構成を説明する図である。
【００７７】
図１７のキーワード添付処理は、例えば第１の実施の形態において説明したキャプチャ取得・関連付け処理（図８）のステップＳ１０１〜ステップＳ１１２の処理が終了した状態で行われる。つまり、電子カルテ画面でのクリック操作に伴って自動取得された画面情報がキャプチャ情報としてキャプチャ情報ＤＢ３５Ａに格納され、また電子カルテＤＢ３１Ａの各診療情報に、予め定められた関連付け設定情報に従ってキャプチャ情報が関連付けられた状態となっている（図２、図６参照）。
【００７８】
キーワード添付処理において、まずサーバ装置１の制御装置４１（キーワード処理部２５）はキャプチャ情報から紐付キーワードを抽出し、キャプチャ情報ＤＢ３５Ａの該当するキャプチャ情報のファイルパスに抽出したキーワードを関連付けて格納する（ステップＳ５０１）。抽出する紐付キーワードは、キーワードＤＢ３６に予め設定されている。制御装置４１はキーワードＤＢ３６を参照し、キャプチャ情報（電子カルテ画面）の予め設定された箇所（キーワードＤＢ３６のキーワード抽出箇所）から文字情報として紐付キーワードを抽出する
【００７９】
図１８はインフルエンザに関するキーワードＤＢ３６の内容を示している。図１８に示すように、キーワードＤＢ３６には、診断の根拠として重要な語句である紐付キーワードと、紐付キーワードに関連する根拠キーワードが予め定められ格納されている。また、紐付キーワードをどの画面のどの欄に記入された診療情報から抽出するかがキーワード抽出箇所として定められている。
【００８０】
例えば図１８の例では、病名画面の病名欄から抽出する紐付キーワードは「インフルエンザ」である。また紐付キーワード「インフルエンザ」を有する診療情報には根拠キーワードとして「インフルエンザ陽性」、「関節痛」、及び「発熱あり」が添付（付加）されることが定義される。また、診療録画面の診療録記入欄から抽出する紐付キーワードは「インフルエンザの疑い」であり、根拠キーワードは「関節痛」及び「発熱あり」である。同様に、各画面の所定の欄から抽出する紐付キーワードが予め定義されている。また、このキーワードＤＢ３６は病名毎に紐付キーワード及び根拠キーワードが用意されている。またキーワードはユーザにより編集可能である。
【００８１】
次に制御装置４１は、キャプチャ情報取得・関連付け処理の終了までに保存された診療情報を電子カルテＤＢ３１Ａから取得し、各診療情報からも紐付キーワードを抽出する（ステップＳ５０２）。ステップＳ５０２の処理は例えば、当日の患者の診療情報等、期間を定めて抽出するものとする。
【００８２】
制御装置４１は、ステップＳ５０２で各診療情報から抽出した紐付キーワードに対応する根拠キーワードをキーワードＤＢ３６から読み込み、各診療情報の根拠キーワードとして各診療情報に添付（付加）し、電子カルテＤＢ３１Ａに格納する（ステップＳ５０３）。
【００８３】
次に制御装置４１は、ステップＳ５０３で電子カルテＤＢ３１Ａに付加された各診療情報の根拠キーワードを参照し、その根拠キーワードと同じ文字情報である紐付キーワードを選択された患者のキャプチャ情報ＤＢ３５Ａの紐付キーワードの項目から検索する。該当するキャプチャ情報があれば、電子カルテＤＢ３１Ａのファイルパスの項目に該当するキャプチャ情報のファイルパスを追加して格納する。キャプチャ情報のファイルパスは複数関連付け可能である（ステップＳ５０４）。
【００８４】
以下、図１９を参照しながらインフルエンザの診断を例として、ユーザの動作とこれに伴うキャプチャ取得・関連付け処理部１２Ａ及びキーワード添付処理部２５の動作を説明する。
【００８５】
まずユーザが電子カルテの患者選択画面において診断対象とする患者を選択し、自動キャプチャ開始ボタンをクリックすると（ステップＳ６０１）、キャプチャ取得・関連付け処理部１２Ａが起動し、キャプチャ取得・関連付け処理を開始する。またキーワード添付処理部２５も処理を開始する。
【００８６】
次に選択患者の診療録画面において、ユーザが診療録を記録する。例えば「発熱あり」、「関節痛」、「インフルエンザの疑い」といった入力内容が診療録画面の登録ボタンのクリック操作によって電子カルテＤＢ３１Ａに登録される（ステップＳ６０２）。
【００８７】
キャプチャ取得・関連付け処理部１２Ａは、クリックイベント情報絞込処理（図９）によってステップＳ６０２におけるクリックイベント情報を取得するか否かを判断し、次に、取得したクリックイベントのクリック時の診療録画面を、キャプチャ情報取得処理によって取得する。取得したキャプチャ情報についての情報（取得日時、ユーザＩＤ、患者ＩＤ、ファイルパス、キャプチャ情報取得タイミング等）が選択患者のキャプチャ情報ＤＢ３５Ａに記録される（ステップＳ６０３）。
【００８８】
キーワード添付処理部２５は、取得したキャプチャ情報に含まれる文字情報の中から紐付キーワード「発熱あり」、「関節痛」、「インフルエンザの疑い」を抽出する（ステップＳ６０４）。また、ステップＳ６０２で入力された診療情報から紐付キーワード「発熱あり」、「関節痛」、「インフルエンザの疑い」を抽出し、この紐付キーワードに対応づけられている根拠キーワードをキーワードＤＢ３６から取得する。取得した根拠キーワード「発熱あり」、「関節痛」を当該診療情報に添付する（ステップＳ６０５）。
【００８９】
次に検査オーダ新規作成画面において、ユーザが検査オーダを入力する。入力内容は「インフルエンザ検査」とし登録ボタンをクリックする。このクリック操作によって入力内容が電子カルテＤＢ３１Ａの診療情報として登録される（ステップＳ６０６）。
【００９０】
キャプチャ取得・関連付け処理部１２Ａは、クリックイベント情報絞込処理によってステップＳ６０６におけるクリックイベント情報を取得するか否かを判断し、取得したクリックイベントのクリック時の検査オーダ画面をキャプチャ情報として取得する。キャプチャ情報は選択患者のキャプチャ情報ＤＢ３５Ａに格納される（ステップＳ６０７）。
【００９１】
キーワード添付処理部２５は、取得したキャプチャ情報から紐付キーワード「インフルエンザ検査」を抽出する（ステップＳ６０８）。また、ステップＳ６０６で入力された診療情報から紐付キーワード「インフルエンザ検査」を抽出し、この紐付キーワードに対応づけられた根拠キーワードをキーワードＤＢ３６から取得する。取得した根拠キーワード「発熱あり」、「関節痛」、「インフルエンザの疑い」を当該診療情報に添付する（ステップＳ６０９）。
【００９２】
次に、検査結果入力画面においてユーザが検査結果を入力する。入力内容は「インフルエンザ陽性」とし登録ボタンをクリックする。このクリック操作によって入力内容が電子カルテＤＢ３１Ａの診療情報として登録される（ステップＳ６１０）。
【００９３】
キャプチャ取得・関連付け処理部１２Ａは、クリックイベント情報絞込処理によってステップＳ６１０におけるクリックイベント情報を取得するか否かを判断し、取得したクリックイベントのクリック時の検査結果入力画面をキャプチャ情報として取得する。キャプチャ情報は選択患者のキャプチャ情報ＤＢ３５Ａに格納される（ステップＳ６１１）。
【００９４】
キーワード添付処理部２５は、取得したキャプチャ情報から紐付キーワード「インフルエンザ陽性」を抽出する（ステップＳ６１２）。また、ステップＳ６１０で入力された診療情報から紐付キーワード「インフルエンザ陽性」を抽出し、この紐付キーワードに対応づけられた根拠キーワードをキーワードＤＢ３６から取得する。紐付キーワード「インフルエンザ陽性」に対応する根拠キーワードは定義されていないため、当該診療情報への根拠キーワードは添付せずに、次の処理へ移行する（ステップＳ６１３）。
【００９５】
次に、ユーザが検査結果入力画面において「診療録」ボタンをクリックすると選択患者の診療録画面が表示される（ステップＳ６１４）。
【００９６】
このクリック操作によってキャプチャ取得・関連付け処理部１２Ａは、クリックイベント情報絞込処理によってステップＳ６１４におけるクリックイベント情報を取得するか否かを判断し、取得したクリックイベントのクリック時の画面である検査結果表示画面をキャプチャ情報として取得する。キャプチャ情報は選択患者のキャプチャ情報ＤＢ３５Ａに格納される（ステップＳ６１５）。
【００９７】
キーワード添付処理部２５は、取得したキャプチャ情報から紐付キーワード「インフルエンザ陽性」を抽出する（ステップＳ６１６）。該当する診療情報から紐付キーワード「インフルエンザ陽性」を抽出し、この紐付キーワードに対応づけられた根拠キーワードをキーワードＤＢ３６から取得する。紐付キーワード「インフルエンザ陽性」に対応する根拠キーワードはないため、当該診療情報への根拠キーワードは添付せずに、次の処理へ移行する（ステップＳ６１７）。
【００９８】
次に診療録画面においてユーザが診療録を入力する。入力内容は「インフルエンザ」、「タミフル処方」とし登録ボタンをクリックする。このクリック操作によって入力内容が電子カルテＤＢ３１Ａの診療情報として登録される（ステップＳ６１８）。
【００９９】
キャプチャ取得・関連付け処理部１２Ａは、クリックイベント情報絞込処理によってステップＳ６１８におけるクリックイベント情報を取得するか否かを判断し、取得したクリックイベントのクリック時の診療録画面をキャプチャ情報として取得する。キャプチャ情報は選択患者のキャプチャ情報ＤＢ３５Ａに格納される（ステップＳ６１９）。
【０１００】
キーワード添付処理部２５は、取得したキャプチャ情報から紐付キーワード「インフルエンザ」、「タミフル」を抽出する（ステップＳ６２０）。また、ステップＳ６１８で入力された診療情報から紐付キーワード「インフルエンザ」、「タミフル」を抽出し、この紐付キーワードに対応づけられた根拠キーワードをキーワードＤＢ３６から取得する。根拠キーワード「発熱あり」、「関節痛」、「インフルエンザ陽性」、「インフルエンザ」を当該診療情報に添付して、次の処理へ移行する（ステップＳ６２１）。
【０１０１】
次に、病名画面が表示され、病名画面においてユーザが病名を入力する。入力内容は「インフルエンザ」とし、画面の登録ボタンをクリックする。このクリック操作によって入力内容が電子カルテＤＢ３１Ａの診療情報として登録される（ステップＳ６２２）。
【０１０２】
キャプチャ取得・関連付け処理部１２Ａは、クリックイベント情報絞込処理によってステップＳ６２２におけるクリックイベント情報を取得するか否かを判断し、取得したクリックイベントのクリック時の病名画面をキャプチャ情報として取得する。キャプチャ情報は選択患者のキャプチャ情報ＤＢ３５Ａに格納される（ステップＳ６２３）。
【０１０３】
キーワード添付処理部２５は、取得したキャプチャ情報から紐付キーワード「インフルエンザ」を抽出する（ステップＳ６２４）。該当する診療情報から紐付キーワード「インフルエンザ」を抽出し、この紐付キーワードに対応づけられた根拠キーワードをキーワードＤＢ３６から取得する。根拠キーワード「発熱あり」、「関節痛」、「インフルエンザ陽性」を当該診療情報に添付して、次の処理へ移行する（ステップＳ６２５）。
【０１０４】
次に、処方オーダ新規作成画面において、ユーザが処方オーダを入力する。入力内容は「タミフル  １日３回毎食後」とし、画面の登録ボタンをクリックする。このクリック操作によって入力内容が電子カルテＤＢ３１Ａの診療情報として登録される（ステップＳ６２６）。
【０１０５】
キャプチャ取得・関連付け処理部１２Ａは、クリックイベント情報絞込処理によってステップＳ６２６におけるクリックイベント情報を取得するか否かを判断し、取得したクリックイベントのクリック時の処方オーダ画面をキャプチャ情報として取得する。キャプチャ情報は選択患者のキャプチャ情報ＤＢ３５Ａに格納される（ステップＳ６２７）。
【０１０６】
キーワード添付処理部２５は、取得したキャプチャ情報から紐付キーワード「タミフル」を抽出する（ステップＳ６２８）。また、ステップＳ６２６で入力された診療情報から紐付キーワード「タミフル」を抽出し、この紐付キーワードに対応づけられた根拠キーワードをキーワードＤＢ３６から取得する。根拠キーワード「インフルエンザ」、「インフルエンザ陽性」を当該診療情報に添付して、次の処理へ移行する（ステップＳ６２９）。
【０１０７】
ユーザにより自動キャプチャ終了ボタンがクリックされると、キャプチャ取得・関連付け処理及びキーワード添付処理を終了する（ステップＳ６３０）。
【０１０８】
図２０は、図１９の例によってキャプチャ情報から抽出された紐付キーワードを格納したキャプチャ情報ＤＢ３５Ａを示す図である。
図２０に示すように、例えば、２０１５年４月１７日１０時３０分２０秒に患者ＩＤ「KanjaA_ID」の患者のキャプチャ情報「C:\Cap\KanjaA_ID\20150417\20150417103020.jpg」からは、紐付キーワードとして「発熱あり」、「関節痛」、「インフルエンザ陽性」が抽出され、該当するキャプチャ情報ＤＢ３５Ａに格納される。また、２０１５年４月１７日１０時３２分３０秒に患者ＩＤ「KanjaA_ID」の患者のキャプチャ情報「C:\Cap\KanjaA_ID\20150417\20150417103230.jpg」からは、紐付キーワードとして「インフルエンザ検査」が抽出され、該当するキャプチャ情報ＤＢ３５Ａに格納される。同様に、キャプチャ情報からそれぞれ紐付キーワードが抽出され、該当するキャプチャ情報ＤＢ３５Ａに格納される。
【０１０９】
また、電子カルテＤＢ３１Ａの各診療情報には、図２１に示すように診療情報に含まれる紐付キーワードをもとに根拠キーワードが添付される。また添付された根拠キーワードと同じ文言の紐付キーワードを有するキャプチャ情報のファイルパスがその診療情報に付加される。
【０１１０】
具体的には、例えば図２１の４つ目のレコード６１の診療情報「インフルエンザ」からは、紐付キーワードとして「インフルエンザ」が抽出される。図１８のキーワードＤＢ３６を参照すると、紐付キーワード「インフルエンザ」の根拠キーワードは「インフルエンザ陽性」、「関節痛」、及び「発熱あり」であるので、図２１の４つ目のレコード６１には、根拠キーワード「インフルエンザ陽性」、「関節痛」、及び「発熱あり」が付加される。更にこれらの根拠キーワードと同一の紐付キーワードを含むキャプチャ情報を図２０のキャプチャ情報ＤＢ３５Ａから検索すると、１つ目のレコード６２のキャプチャ情報のファイルパス「C:\Cap\KanjaA_ID\20150417\20150417103020.jpg」と４つ目のレコード６３のキャプチャ情報のファイルパス「C:\Cap\KanjaA_ID\20150417\20150417104730.jpg」がある。キーワード添付処理部２５は、これらの２つのキャプチャ情報を電子カルテＤＢ３１Ａの該当するレコード６１のファイルパスの項目に追加する。
【０１１１】
これにより、この診療情報（４つ目のレコード６１）が電子カルテ画面に表示されるときには、エビデンス情報として「C:\Cap\KanjaA_ID\20150417\20150417103020.jpg」と「C:\Cap\KanjaA_ID\20150417\20150417104730.jpg」が読み出され、表示されることとなる。
【０１１２】
以上説明したように、第２の実施の形態の電子カルテシステム１００Ａにおいて、キーワード添付処理部２５は、キャプチャ取得・関連付け処理部１２Ａによって取得したキャプチャ情報から所定の紐付キーワードを抽出してキャプチャ情報ＤＢ３５Ａに格納し、電子カルテの診療情報から抽出される紐付キーワードに関連する根拠キーワードを当該診療情報に添付する。そして、電子カルテ情報関連付け処理部２４Ａは根拠キーワードと一致する紐付キーワードを有するキャプチャ情報を選択患者のキャプチャ情報ＤＢ３５Ａから取得し、該当する診療情報のエビデンス（キャプチャ情報）として関連付ける。
【０１１３】
第２の実施の形態によれば、キーワードＤＢ３６で予め設定したキーワードの情報から、キャプチャ情報と電子カルテの情報(診療情報）との関連付けを行うため、診断の根拠となる情報がより明確になり、数あるキャプチャ情報の中から根拠としてより関係の深い重要なものをエビデンスとして表示できる。
【０１１４】
なお、電子カルテ情報関連付け処理部２４Ａは、根拠キーワードと一致する紐付キーワードを有するキャプチャ情報を該当する診療情報に関連付ける際に、他の患者のキャプチャ情報を関連付けるようにしてもよい。また、他の患者のキャプチャ情報を関連付けるか否かの設定は変更可能とすることが望ましい。
【０１１５】
［第３の実施の形態］
次に、図２２〜図２５を参照して本発明の第３の実施の形態について説明する。
第３の実施の形態の電子カルテシステム１００は、キャプチャ情報の取得及び関連付けを、ユーザの操作によって手動で行う機能を有する。以下、この機能を手動キャプチャ処理と呼ぶ。
【０１１６】
以下、図２２を参照しながら手動キャプチャ処理におけるユーザの動作とそれに伴うサーバ装置１の制御装置４１の動作について説明する。
図２２に示すように、電子カルテ画面に設けられる手動キャプチャボタン（不図示）がユーザによりクリックされる（ステップＳ７０１）と、サーバ装置１の制御装置４１はキャプチャ情報取得処理部２３（図１参照）を起動し、ステップＳ７０１のクリック操作の直前に表示されている画面情報を取得（キャプチャ）する（ステップＳ７０２）。ステップＳ７０２のキャプチャ情報取得処理の流れは、第１の実施の形態のキャプチャ情報取得処理（図１０）と同様であるので、第１の実施の形態と同じ処理であるステップＳ３０１〜ステップＳ３０５の説明を省略する。
【０１１７】
ステップＳ３０６では、キャプチャ情報取得処理部２３は、取得したキャプチャ情報について、取得日時、ユーザ情報（ユーザＩＤ）、キャプチャ情報の患者ＩＤ、ファイルパスを図６に示すようにキャプチャ情報ＤＢ３５に格納するとともに、そのキャプチャ情報の取得タイミングを「手動」として格納し、キャプチャ情報取得処理を終了する。
【０１１８】
図２３は、手動で取得したキャプチャ情報を示すキャプチャ情報ＤＢ３５Ｂの一例を示している。キャプチャ情報ＤＢ３５Ｂには、取得開始日時、ユーザＩＤ、患者ＩＤ、ファイルパスとともに、いつキャプチャ情報を取得したかを示すクリックイベントの項目に「手動」の情報が格納される。
【０１１９】
図２２の説明に戻る。
ステップＳ７０２のキャプチャ情報取得処理によって手動でのキャプチャ情報の取得が完了し、次にユーザによってキャプチャ情報一覧画面の表示が選択される。この選択操作は、例えば電子カルテ画面に設けられた「キャプチャ情報一覧画面表示」ボタンのクリック等とすればよい（ステップＳ７０３）。
【０１２０】
制御装置４１はステップＳ７０３のクリック操作に伴い、電子カルテを操作しているユーザのユーザＩＤを取得し、該当するユーザＩＤのキャプチャ情報ＤＢに保存されているキャプチャ情報を取得して、キャプチャ情報一覧画面を表示させる（ステップＳ７０４）。
【０１２１】
図２４は、キャプチャ情報一覧画面７０の一例である。
キャプチャ情報一覧画面７０はキャプチャ情報の関連付け先をユーザが設定するためのユーザインターフェースである。図２４に示すようにキャプチャ情報一覧画面７０には、キャプチャ情報を関連付ける患者選択欄７１、関連付けるオーダ（診療情報）を登録した日時を選択する日時選択欄７２が設けられる。また患者選択欄７１及び日時選択欄７２で選択された患者、日時のキャプチャ情報のコピー格納場所を表示するコピー格納場所表示欄７３、関連付け先とするオーダ（診療情報）を選択するオーダ選択欄７４、移動させるファイル（関連付けるキャプチャ情報）が格納されているフォルダを指定するフォルダ指定欄７５、フォルダ指定欄７５において指定されたフォルダに格納されているキャプチャ情報の一覧（サムネイル７６ａ〜７６ｆ）が表示される。各キャプチャ情報のサムネイル７６ａ〜７６ｆには、それぞれチェック欄７７ａ〜７７ｆが設けられる。キャプチャ情報が選択された状態でチェック欄７７ａ〜７７ｆにチェックマークが表示される。また、キャプチャ情報一覧画面７０を閉じる際に操作される「閉じる」ボタン７８、キャプチャ情報一覧画面７０において指定された内容でキャプチャ情報の関連付けを行う際に操作される「登録」ボタン７９が設けられる。
【０１２２】
図２５は、ステップＳ７０６の電子カルテ情報関連付け処理の流れを説明するフローチャートである。
図２４に示すキャプチャ情報一覧画面において、ユーザはキャプチャ情報の関連付けを行う患者を患者選択欄７１で選択し、また関連付けたいオーダ（診療情報）の登録日時を日時選択欄７２で選択する。患者選択欄７１で「患者Ａ」が選択され、日時選択欄７２で「2015/4/17」が選択されると、制御装置４１は、「患者Ａ」及び「2015/4/17」をキーとして該当するキャプチャ情報の格納先を検索し、コピー格納場所表示欄７３に検索結果を「C:\Cap\KanjaA_ID\20150417\」のように表示する。制御装置４１は、更に選択患者、選択日時の情報から電子カルテＤＢ３１に登録されている診療情報をオーダ選択欄７４に選択可能に一覧表示する。オーダ選択欄７４でユーザが関連付けるオーダ（診療情報）を選択すると、選択されたオーダ（診療情報）にエビデンス情報となるキャプチャ情報のファイルパスを格納できるようになる。
【０１２３】
フォルダ指定欄７５において「C:\Cap\\DR01」が指定されると、指定されたフォルダ「C:\Cap\\DR01」に格納されているキャプチャ情報のサムネイル７６ａ〜７６ｆが一覧表示される。ユーザがキャプチャ情報のサムネイル７６ａ〜７６ｆのチェックボックス７７ａ〜７７ｆのいずれかにチェックを入力し、いずれかのキャプチャ情報を選択した状態でオーダ選択欄７４から関連付けるオーダを選択する。
【０１２４】
制御装置４１は、キャプチャ情報一覧画面７０において入力された内容（各欄７１〜７７における入力内容）を読み込むと（ステップＳ８０１）、制御装置４１は読み込んだ内容に基づいて選択されたキャプチャ情報を指定された関連付け先のフォルダに移動（コピー）する（ステップＳ８０２）。また制御装置４１は、移動後の保存先のファイルパスを発行し（ステップＳ８０３）、キャプチャ情報ＤＢ３５の該当するキャプチャ情報のファイルパスを移動後のファイルパスに書き換える。また、関連付け先に関する情報をキャプチャ情報のデータとして格納する（ステップＳ８０４）。
【０１２５】
以上説明したように、第３の実施の形態では、ユーザが手動で電子カルテ画面をキャプチャするよう指示した場合に、キャプチャ情報として取得した画面情報をユーザの操作によって関連付け先を指定して所望の関連付け先（診療情報）に関連付けることができる。
【０１２６】
なお、第３の実施の形態で示したような手動でのキャプチャ情報の関連付けは、第１または第２の実施の形態で自動取得したキャプチャ情報に対しても適用可能である。
【０１２７】
以上、添付図面を参照しながら、本発明の好適な実施形態について説明したが、本発明はかかる例に限定されない。例えば、電子カルテ画面の表示・入力内容や各データベースの登録内容等は本発明を説明するための一例であり、各種の変更例を含むものとする。その他、当業者であれば、本願で開示した技術的思想の範疇内において、各種の変更例又は修正例に想到し得ることは明らかであり、それらについても当然に本発明の技術的範囲に属するものと了解される。
【符号の説明】
【０１２８】
１００、１００Ａ・・・・・電子カルテシステム
１・・・・・・・・・・・・サーバ装置
２・・・・・・・・・・・・クライアント端末
１１・・・・・・・・・・・電子カルテ処理部
１２、１２Ａ・・・・・・・キャプチャ取得・関連付け処理部
１３・・・・・・・・・・・エビデンス情報表示処理部
２１・・・・・・・・・・・クリックイベント情報取得処理部
２２・・・・・・・・・・・クリックイベント情報絞込処理部
２３・・・・・・・・・・・キャプチャ情報取得処理部
２４、２４Ａ・・・・・・・電子カルテ情報関連付け処理部
２５・・・・・・・・・・・キーワード添付処理部
３１、３１Ａ・・・・・・・電子カルテＤＢ
３２・・・・・・・・・・・ユーザ情報ＤＢ
３３・・・・・・・・・・・診療情報種別ＤＢ
３４・・・・・・・・・・・取得タイミングＤＢ
３５、３５Ａ、３５Ｂ・・・キャプチャ情報ＤＢ
３６・・・・・・・・・・・キーワードＤＢ
７０・・・・・・・・・・・キャプチャ情報一覧画面
【図１】
2017010344.tif 000003
【図２】
2017010344.tif 000004
【図３】
2017010344.tif 000005
【図４】
2017010344.tif 000006
【図５】
2017010344.tif 000007
【図６】
2017010344.tif 000008
【図７】
2017010344.tif 000009
【図８】
2017010344.tif 000010
【図９】
2017010344.tif 000011
【図１０】
2017010344.tif 000012
【図１１】
2017010344.tif 000013
【図１２】
2017010344.tif 000014
【図１３】
2017010344.tif 000015
【図１４】
2017010344.tif 000016
【図１５】
2017010344.tif 000017
【図１６】
2017010344.tif 000018
【図１７】
2017010344.tif 000019
【図１８】
2017010344.tif 000020
【図１９】
2017010344.tif 000021
【図２０】
2017010344.tif 000022
【図２１】
2017010344.tif 000023
【図２２】
2017010344.tif 000024
【図２３】
2017010344.tif 000025
【図２４】
2017010344.tif 000026
【図２５】
2017010344.tif 000027